(57)【特許請求の範囲】
【請求項１】
海苔養殖時に発生する雑藻、病害の駆除予防を行う殺藻殺菌剤であって、プロピオン酸とパラオキシ安息香酸エステルを主成分とし、パラオキシ安息香酸エステルが、パラオキシ安息香酸ブチル、パラオキシ安息香酸イソブチル、パラオキシ安息香酸イソフロピルの中の１種以上とすることを特徴とする殺藻殺菌剤。
【請求項２】
パラオキシ安息香酸エステルが、パラオキシ安息香酸イソプロピル、パラオキシ安息香酸イソブチル、及びパラオキシ安息香酸ブチルをそれぞれ順番に３０〜５０：２０〜４０：２０〜４０の比率で総和が１００となる３元混合物であることを特徴とする請求項１記載の海苔養殖用の殺藻殺菌剤。
【請求項３】
殺藻殺菌の処理時におけるプロピオン酸濃度が０．０１〜０．５Ｗ／Ｖ％の範囲であり、パラオキシ安息香酸エステル濃度が０．００１〜０．５Ｗ／Ｖ％の範囲の範囲であることを特徴とする請求項１又は２記載の殺藻殺菌剤。
【請求項４】
ｐＨ調整剤として有機酸及び無機酸の中の１種以上を含有することを特徴とする請求項１〜３のいずれかに記載の海苔養殖用の殺藻殺菌剤。
【請求項５】
塩（しお）を添加することを特徴とする請求項１〜４のいずれかに記載の海苔養殖用の殺藻殺菌剤。
【請求項６】
請求項１〜５のいずれかに記載の殺藻殺菌剤で、１２０秒以下で処理することを特徴とする海苔養殖用の殺藻殺菌方法。
【発明の詳細な説明】
【０００１】
【発明の属する技術分野】
本発明は、海苔養殖中に発生する珪藻、アオノリ等の雑藻類及び赤腐れ菌、壷状菌、付着細菌等の病害菌を駆除する殺藻殺菌剤に関する。
【０００２】
【従来の技術】
海苔養殖において、珪藻等の雑藻類が繁殖し海苔葉体又は海苔網に付着すると海苔の成育を阻害し、ひいては死滅させてしまうこともある。成育に問題ない位の珪藻が葉体に付着していても、その原藻を製品にした場合、黒い乾海苔の中に緑色の斑点が入ってしまい商品価値が低下してしまう。食べても苦くておいしくない海苔になってしまう。珪藻の混入が多いときには、売り物に成らなくなることがある。そのため、珪藻等の雑藻類を駆除するために酸性処理や千出という作業が行われている。又、海苔養殖中に赤腐れ菌、壷状菌、付着細菌等の発生により海苔が腐敗してしまうことがある。
現在では、クエン酸、リンゴ酸等を主成分とする製品の１０〜２０倍液（クエン酸の２〜５％濃度）にて３分以内の潜り船による酸処理を行っており、経費増及び環境への負荷が大きな問題となっている。
【０００３】
今までに、下記に示すような海苔養殖用の処理剤が開示されている。
特開昭５０−１２１４２５号公報には、「炭素数１ないし４の飽和脂肪族モノカルボン酸、炭素数２ないし４の飽和または不飽和ジカルボン酸、グリコール酸、乳酸、酒石酸、リンゴ酸、クエン酸から成る群から選ばれた有機カルボン酸の一種又は二種以上を有効成分として含有する殺藻剤」とある。プロピオン酸も例として挙げてはいるが積極的に実施した記載はない。又、この公報の技術は、網に付着するアオノリ等の海藻すべてを駆除するものであり、海苔を傷めることなく他の藻類を選択的に駆除するものではない。
【０００４】
特開平８−１５７３０９号公報には、「プロピオン酸の水溶液に、アジピン酸、コハク酸、モノクロル酢酸、ジクロル酢酸、トリクロル酢酸、クエン酸、グルコン酸、フマル酸、ギ酸、乳酸、ケトグルタル酸、フイチン酸、リン酸、塩酸、酒石酸、硫酸、硝酸、マレイン酸、イタコン酸、グルタル酸、酪酸よりなる群より選んだ少なくとも１種を配合してなる養殖海苔の赤腐れ病駆除剤」とある。プロピオン酸と他の酸との組み合わせにより赤腐れ菌の駆除効果が高くなることが記載されている。殺藻効果及びパラオキシ安息香酸エステルの併用についての記載や示唆はない。
【０００５】
特開昭４８−３６３２８号公報には、「アマノリ類に抗菌性薬剤、バラヒドロキシ安息香酸及び又はそのエステル類を非イオン性界面活性剤と併用して処理することを特徴とするアマノリ類の赤腐れ病防除法」が記載されている。プロピオン酸とパラオキシ安息香酸との併用についての記載や示唆はない。
【０００６】
特開平１１−２８６４０７号公報には、「乳酸及び／又は酢酸とパラオキシ安息香酸エステルとを含有することを特徴とするケイソウ駆除用処理剤」が記載されている。後述する比較例においては実際に効果が十分にみられてないものである。
【０００７】
この他に、特公昭６０−１３６４７号公報には、「クエン酸０．３〜５．０％を含み、ＰＨが１．０〜６．０の処理液に浸漬させる雑藻、病害の駆除、予防による海苔養殖法」が記載されている。
特公昭６０−１３６４８号公報には、「塩酸、硝酸、硫酸、リン酸などの無機酸を添加してｐＨｌ．０〜４．０とする雑藻、病害の駆除、予防による海苔養殖法」が記載されている。
特公昭６０−２１９５０号公報には、「フイチン酸又はその塩を有効成分とする海苔養殖用肥料、赤腐れ菌に対する予防効果、珪藻駆除効果」が開示されている。
【０００８】
これら公報に記載された技術では、５〜３０分という長い浸漬時間が必要なため、より短時間での処理を必要とされてきた今日には通用しない技術と成ってきた。又、タビュラリアという耐酸性の強い珪藻が多量発生するようになり、有機酸、無機酸等を使用する酸性処理では駆除することができない状況となっている。
最近では、一軒当たりの養殖枚数が増加したために、１枚当たりの処理に要する時間を短くせざるを得なくなり、潜り船という酸処理方法が普及している。接触時間が１０秒から１２０秒と非常に短くなっているため、より短時間で効果のある雑藻（耐酸性の強いタビュラリア等の珪藻）、病害駆除剤が必要となってきている。特に、珪藻駆除効果の高い製剤の開発が切望されている。
従って、従来技術の殺藻剤では、珪藻、アオノリ等の雑藻類及び赤腐れ菌、壷状菌、付着細菌等の病害菌を短時間で駆除する効果が不十分となってきている。
特に耐酸性の強いタビュラリア等の珪藻類に対しては全く効果がない。また、従来のようにクエン酸、リンゴ酸等を主成分としたのでは、経費増及び環境への負荷が大きな不具合となっている。
【０００９】
【本発明が解決しようとする課題】
本発明は、上記従来技術の課題及び要望に応えるためになされたものであり、海苔自体に害を与えることなく、珪藻、アオノリ等の雑藻類及び赤腐れ菌、壷状菌、付着細菌等の病害菌を短時間で且つ経済的に駆除する薬剤を提供することを目的とする。
【００１０】
本発明者は、上記従来技術の課題及び要望に鑑み、鋭意検討を重ねた結果、プロピオン酸とパラオキシ安息香酸エステルを併用することによって珪藻、アオノリ等の雑藻類及び赤腐れ菌、壷状菌、付着細菌等の病害菌を１２０秒以下の短時間で駆除できることを見い出し、本発明を完成するに至った。即ち、本発明は次の通りである。
（１）海苔養殖時に発生する雑藻、病害の駆除予防を行う殺藻殺菌剤であって、プロピオン酸とパラオキシ安息香酸エステルを主成分とし、パラオキシ安息香酸エステルが、パラオキシ安息香酸ブチル、パラオキシ安息香酸イソブチル、パラオキシ安息香酸イソフロピルの中の１種以上とすることを特徴とする殺藻殺菌剤。
（２）パラオキシ安息香酸エステルが、パラオキシ安息香酸イソプロピル、パラオキシ安息香酸イソブチル、及びパラオキシ安息香酸ブチルをそれぞれ順番に３０〜５０：２０〜４０：２０〜４０の比率で総和が１００となる３元混合物であることを特徴とすることを特徴とする前記（１）記載の海苔養殖用の殺藻殺菌剤。
（３）殺藻殺菌の処理時におけるプロピオン酸濃度が０．０１〜０．５Ｗ／Ｖ％の範囲であり、パラオキシ安息香酸エステル濃度が０．００１〜０．５Ｗ／Ｖ％の範囲の範囲であることを特徴とする前記（１）又は（２）記載の殺藻殺菌剤。
（４）ｐＨ調整剤として、有機酸、及び無機酸の中の１種以上を含有することを特徴とする前記（１）〜（３）のいずれかに記載の海苔養殖用の殺藻殺菌剤。
（５）塩（しお）を添加することを特徴とする（１）〜（４）のいずれかに記載の海苔養殖用の殺藻殺菌剤。
（６）（１）〜（５）のいずれかに記載の殺藻殺菌剤で、１２０秒以下で処理することを特徴とする海苔養殖用の殺藻殺菌方法。
【００１１】
【発明の実施の形態】
以下、本発明の実施の形態を詳しく説明する。
本発明の殺藻殺菌剤は、殺藻殺菌の処理時に海水又は水に希釈、添加、或いはそのまま使用され、海苔養殖時に発生する雑藻、病害の駆除予防を行うものであり、プロピオン酸とパラオキシ安息香酸エステルを主成分とする。
【００１２】
本発明の殺藻殺菌剤は殺藻殺菌の処理時或いは使用時に海水又は水などで希釈して使用される。その希釈倍率は、好ましくは５０〜５００倍であるが、これに限るものではない、その製剤としての使用態様に応じて倍率を決めることができる。また、殺藻殺菌剤は殺藻殺菌の処理時に添加して使用される。殺藻殺菌剤を成分ごとに小分け包装した製剤等として提供されるときなどを一例として挙げることができ、船等の処理槽等に殺藻殺菌剤の成分を直接添加する場合などである。更に、施設が整っていれば、殺藻殺菌剤の貯留タンクから船等の処理槽等にそのままの供給して使用しても良い。
【００１３】
従来は、雑藻及び病害を駆除するためにクエン酸、リンゴ酸等を４０〜８０％の範囲で含有する製品を１００〜２００倍希釈液にて１０〜３０分の処理を行っていた。この場合、海苔網を取り外して処理を行うため時間と手間がかかりすぎるという問題がある。
そこで、現在では、養殖規模の拡大により、海苔網を固定したまま、潜り船を潜らせる方法が採用されている。この方法では１２０秒以下の処理を行う短時間処理が望まれている。そのため、浸漬用のクエン酸、リンゴ酸等を主成分とする製品を１０〜２０倍液（酸濃度の２〜８％濃度）にて使用するようになってきている。従って、経費増及び海洋環境への負荷が大きな問題となっている。
本発明では上述のように、プロピオン酸とパラオキシ安息香酸エステルを併用した製剤を使用することによって、珪藻等の雑藻類及び病害を低濃度、短時間で駆除することができる。プロピオン酸及びパラオキシ安息香酸エステルはいずれも食品漆加物に指定されており分解性も早く海洋生物に対する安全性も高い。
【００１４】
実際に、後述する実施例より、クエン酸、リン酸、乳酸、又は酢酸とパラオキシ安息香酸エステルとの併用では効果は高くならないが、プロピオン酸とパラオキシ安息香酸エステルを併用することによって１２０秒以内の短時間で珪藻及び赤腐れ菌の駆除効果が高くなることがわかった。１０秒、３０秒という短い接触時間でも雑藻類や病害菌を駆除することができる。
【００１５】
本発明に用いられるパラオキシ安息香酸エステルとしては、特に限定されるものではないが、パラオキシ安息香酸ブチル、パラオキシ安息香酸イソブチル、パラオキシ安息香酸プロピル、パラオキシ安息香酸イソプロピル、パラオキシ安息香酸エチル、パラオキシ安息香酸メチル等があげられる。２種以上のエステルを一定の比率に混合して加熱溶融することにより得られる共融混合物を用いることもできる。特に、パラオキシ安息香酸イソプロピル、イソブチル、ブチルをそれぞれ順番に３０〜５０：２０〜４０：２０〜４０の比率で総和が１００となる３元混合物を配合すると駆除効果が高くなる。
【００１６】
本発明の殺藻殺菌剤は、その殺藻殺菌の処理時におけるプロピオン酸濃度が０．０１〜０．５Ｗ／Ｖ％の範囲であり、パラオキシ安息香酸エステル濃度が０．００１〜０．５Ｗ／Ｖ％の範囲の範囲であることが望ましい。
パラオキシ安息香酸エステルの濃度は特に、０．００１〜０．１Ｗ／Ｖ％の範囲であることが好ましい。上記濃度が０．００１Ｗ／Ｖ％を下回ると効果がでにくく、上記濃度が０．５Ｗ／Ｖ％を上回ると使用時にパラオキシ安息香酸が沈殿し効果が減少してしまうからである。
プロピオン酸濃度は、特に、０．０５〜０．５Ｗ／Ｖ％の範囲であることが好ましい。上記濃度が０．０１Ｗ／Ｖ％を下回ると効果がでにくく、上記濃度が０．５Ｗ／Ｖ％を上回ると海苔への障害が強くなってくるためである。
【００１７】
本発明の殺藻殺菌剤は、ｐＨ調整剤として有機酸及び無機酸の中の１種以上を含有することが好ましい。
有機酸のｐＨ調整剤としては、クエン酸、リンゴ酸、酒石酸、乳酸、フマル酸、コハク酸、酢酸、グルコン酸、アジピン酸、フイチン酸、ケトグルタル酸、イタコン酸等を挙げることができ、また無機酸のｐＨ調整剤としては、リン酸、塩酸、硫酸、硝酸等の酸を挙げることができる。これらの酸の少なくと１種類以上を添加することにより、雑藻類、病害の駆除効果が高くなると共に海苔への障害を抑制することができる。ｐＨ調整するときの好ましい殺藻殺菌剤のｐＨの範囲は、その使用時においてｐＨ０．５〜３．０の範囲であることが望ましい。
【００１８】
本発明の海苔養殖用の殺藻殺菌剤は塩を添加することが好ましい。
殺藻殺菌剤に塩を添加使用すると、雑藻類、病害の駆除効果が高くなると共に処理時の海苔の障害を軽減することができる。又、効果を示す範囲内で処理時の海苔が赤く変色するため処理の目安が立てやすく、目視により処理確認が容易となる。特に、添加する塩の量は０．５〜１０％が好ましい。
【００１９】
また、本発明の殺藻殺菌剤には、必要により肥料成分として、アミノ酸、塩化アンモニウム、硝酸ナトリウム、硝酸ソーダ、硝酸カリウム、リン酸ナトリウ、リン酸アンモニウム、リン酸カリウム、硝酸アンモニウム、硫酸アンモニウム、糖類を添加することもできる。
本発明を実施するときは、前もってプロピオン酸にパラオキシ安息香酸エステルを溶解した製剤を海水又は水で希釈して使用し、処理液に直接それぞれを添加して使用しても良い。又、本製剤は中和した中性の製剤でも酸性の製剤でも良い。
【００２０】
本発明の海苔養殖用の殺藻殺菌方法は、上述した形態の殺藻殺菌剤で、海苔を１２０秒以下で処理することを特徴とする。
前記殺藻殺菌剤を使用して、潜り船を潜らせて前記方法を採用すると、１２０秒以下の処理、特に、５〜６０秒間の処理で海苔から確実に雑藻類や病原菌を駆除することができる。しかも、前記各成分は食品添加物に指定されており、少量使用であり、分解性も高いので海洋生物に対する安全性も高い。従って、潜り船への適用が極めて容易となる。
【００２１】
【実施例】
次に、本発明を実施例及び比較例により更に詳述する。
実施例１〜３及び比較例１〜６
プロピオン酸０．３Ｗ／Ｖ％及びパラオキシ安息香酸イソプロピルを０．００１、０．０１、０．０２Ｗ／Ｖ％になるように実施例の殺藻殺菌剤を海水に溶解し調整した。珪藻（リクモフォラ）が付着した海苔葉体を１０秒及び３０秒処理した後、滅菌海水にて洗浄した。
数時間後に珪藻の駆除効果を顕微鏡にて調査した。比較例としてプロピオン酸０．３Ｗ／Ｖ％のみ、パラオキシ安息香酸イソプロピル０．０２％のみ液、及び乳酸、リン酸、クエン酸、又は酢酸とパラオキシ安息香酸イソプロピルとの混溶液を調整した。結果を表１に示す。
尚、珪藻駆除効果の評価基準を以下に示す。
（−：効果なし、＋：２０〜５０％駆除、＋＋：５０〜８０％駆除、＋＋＋：８０〜１００％駆除、＋＋＋＋：１００％駆除。）
海苔の傷害度の評価基準を以下に示す。
（−：障害なし、＋：２０〜５０％障害、＋＋：５０〜１００％障害。）
【００２２】
【表１】
0004633896.tif 000002
【００２３】
上記表１の結果から明らかなように、パラオキシ安息香酸イソプロピル又はプロピオン酸単独では比較例１及び２に示すように効果が小さいが、併用することによって珪藻（リクモフォラ）の駆除効果が高くなることがわかった。比較例３乃至６に示すようにプロオン酸以外との併用では効果が高くならない。
【００２４】
実施例４、５及び比較例７〜９
表２に示す処理剤を混合した後、ＰＨ調整剤でｐＨを１．８に調整した。これらの処理液に、赤腐れ菌の感染した海苔葉体を浸漬処理した。滅菌海水で洗浄した後２日間静置培養し、顕微鏡下で観察し赤腐れ菌の駆除効果を調査した。
結果を表２に示す。赤腐れ菌駆除効果の評価基準を以下に示す。
（−：効果なし、＋：２０〜５０％駆除、＋＋：５０〜８０％駆除、＋＋＋：８０〜１００％駆除、＋＋＋＋：１００％駆除。）
海苔の傷害度の評価基準を以下に示す。
（−：障害なし、＋：２０〜５０％障害、＋＋：５０〜１００％障害。）
【００２５】
【表２】
0004633896.tif 000003
【００２６】
表２の実施例４，５の結果から明らかなように、プロピオン酸とパラオキシ安息香酸エステルの併用により赤腐れ菌の駆除効果が高くなる。また、比較例７乃至９の結果から分かるように、プロピオン酸の単独、或いはパラオキシ安息香酸エステル類の単独では効果が見られなかった。
【００２７】
実施例６〜９
プロピオン酸０．０５Ｗ／Ｖ％及びパラオキシ安息香酸イソプロピルを０．０１、０．０２、０．０５、０．１Ｗ／Ｖ％になるように海水に溶解した液を調整した。珪藻（リクモフォラ）が付着した海苔葉体を１０秒、３０秒、６０秒、１２０秒間処理した後、滅菌海水にて洗浄した。
数時間後に珪藻の駆除効果を顕微鏡にて調査した。結果を表３に示す。
【００２８】
【表３】
0004633896.tif 000004
【００２９】
実施例１０〜１３及び比較例１０、１１
プロピオン酸０．５、０．３Ｗ／Ｖ％及びパラオキシ安息香酸ブチルを０．００１、０．０１Ｗ／Ｖ％になるように海水に溶解した液を調整した。珪藻（リクモフォラ）が付着した海苔葉体を１０秒、３０秒処理した後、滅菌海水にて洗浄した。
数時間後に珪藻の駆除効果を顕微鏡にて調査した。比較例としてプロピオン酸０．５Ｗ／Ｖ％とパラオキシ安息香酸ブチル０．０１％の液を調整した。珪藻駆除及び海苔の傷害度の評価は、下記に示す通りである。結果を表４に示す。
【００３０】
【表４】
0004633896.tif 000005
【００３１】
実施例１４〜１７及び比較例１２
プロピオン酸０．５、０．３Ｗ／Ｖ％及びパラオキシ安息香酸イソブチルを０．００１、０．０１Ｗ／Ｖ％になるように海水に溶解した液を調整した。珪藻（リクモフォラ）が付着した海苔葉体を１０秒、３０秒処理した後、滅菌海水にて洗浄した。
数時間後に珪藻の駆除効果を顕微鏡にて調査した。比較例としてパラオキシ安息香酸イソブチルの０．０１％の液のみを調整した。結果を表５に示す。
【００３２】
【表５】
0004633896.tif 000006
【００３３】
実施例１８〜２４及び比較例１３
パラオキシ安息香酸ブチル、イソブチル、イソプロピルの比率を３：３：４に配合したものとプロピオン酸を表６に記載した割合になるように海水に溶解した液を調整した。珪藻（リクモフォラ）が付着した海苔葉体を１０秒、３０秒処理した後、滅菌海水にて洗浄した。
数時間後に珪藻の駆除効果を顕微鏡にて調査した。比較例としてパラオキシ安息香酸エステルの混合物０．０１％の液を調整した。結果を表６に示す。
【００３４】
【表６】
0004633896.tif 000007
【００３５】
上記表３乃至６の結果から明らかなように、プロピオン酸と、パラオキシ安息香酸エステル、例えば、パラオキシ安息香酸ブチル、パラオキシ安息香酸イソブチル、パラオキシ安息香酸イソプロピルのそれぞれとの併用、又はこれらの３種を３：３：４の割合で混合したものとの併用をすることによって、珪藻（リクモフォラ）の駆除効果が高くなることがわかった。
【００３６】
実施例２５〜２７及び比較例１４、１５
パラオキシ安息香酸ブチル、イソブチル、イソプロピルの比率を３：３：４に配合したものとプロピオン酸を表７に記載した割合になるように海水に溶解した液を調整した。珪藻（タビュラリア）が付着した海苔葉体を３０秒処理した後、滅菌海水にて洗浄した。
数時間後に珪藻の駆除効果を顕微鏡にて調査した。比較例としてパラオキシ安息香酸エステルの混合物０．０２Ｗ／Ｖ％のみ及びプロピオン酸０．５Ｗ／Ｖ％のみの液を調整した。結果を表７に示す。
【００３７】
【表７】
0004633896.tif 000008
【００３８】
実施例２８、２９及び比較例１６
パラオキシ安息香酸ブチルとプロピオン酸を表８に記載した割合になるように海水に溶解した液を調整した。珪藻（タビュラリア）が付着した海苔葉体を３０秒処理した後、滅菌海水にて洗浄した。
数時間後に珪藻の駆除効果を顕微鏡にて調査した。比較例としてパラオキシ安息香酸ブチル０．０１Ｗ／Ｖ％の液を調整した。結果を表８に示す。
【００３９】
【表８】
0004633896.tif 000009
【００４０】
実施例３０、３１及び比較例１７
パラオキシ安息香酸イソプロピルとプロピオン酸を表９に記載した割合になるように海水に溶解した液を調整した。珪藻（タヒュラリア）が付着した海苔葉体を３０秒処理した後、滅菌海水にて洗浄した。
数時間後に珪藻の駆除効果を顕微鏡にて調査した。比較例としてパラオキシ安息香酸イソプロピル０．０２Ｗ／Ｖ％の液を調整した。結果を表９に示す。
【００４１】
【表９】
0004633896.tif 000010
【００４２】
実施例３２、３３及び比較例１８
パラオキシ安息香酸イソブチルとプロピオン酸を表１０に記載した割合になるように海水に溶解した液を調整した。珪藻（タビュラリア）が付着した海苔葉体を３０秒処理した後、滅菌海水にて洗浄した。
数時間後に珪藻の駆除効果を顕微鏡にて調査した。比較例としてパラオキシ安息香酸イソブチル０．０１Ｗ／Ｖ％の液を調整した。結果を表１０に示す。
【００４３】
【表１０】
0004633896.tif 000011
【００４４】
上記表７乃至１０の結果から明らかなように、プロピオン酸と、パラオキシ安息香酸エステル、例えば、パラオキシ安息香酸ブチル、パラオキシ安息香酸イソブチル、パラオキシ安息香酸イソプロピルのそれぞれとの併用、又はこれらの３種を３：３：４の割合で混合したものとの併用をすることによって、珪藻（タビュラリア）の駆除効果が高くなることがわかった。比較例１４乃至１８に示すようにプロオン酸単独、或いはパラオキシ安息香酸エステル単独では上記駆除効果は見られなかった。
【００４５】
実施例３４〜３７
プロピオン酸０．５、０．３Ｗ／Ｖ％及びパラオキシ安息香酸イソプロピル０．０１Ｗ／Ｖ％になるように調整した溶液と、その液にｐＨ調整剤としてリン酸を用いｐＨ１．８に調整した溶液を用い、珪藻（リクモフォラ）の付着した海苔葉体を５秒、１０秒、２０秒・・・１８０秒処理した後滅菌海水にて洗浄した。数時間後に、１００％珪藻を駆除する時間及び海苔の障害が発生する時間を調査した。結果を表１１に示す。
【００４６】
【表１１】
0004633896.tif 000012
【００４７】
実施例３８〜４１
プロピオン酸０．５％及びパラオキシ安息香酸イソプロピル０．０１％になるように調整した溶液と、その液に塩を３、５、１０％添加した溶液を用い、珪藻（リクモフオラ）の付着した海苔葉体を５秒、１０秒、２０秒・・・１８０秒処理した後滅菌海水にて洗浄した。数時間後に、１００％珪藻を駆除する時間及び海苔の障害が発生する時間を調査した。結果を表１２に示す。
【００４８】
【表１２】
0004633896.tif 000013
【００４９】
上記表１１の結果より明らかなように、処理液のｐＨの値を３以下、特に、２以下と低くすれば、更に短時間で珪藻を駆除処理することができ、また海苔が障害を起こすまでの時間も長くなり好ましい。
また上記表１２の結果より明らかなように、処理液に塩を添加することにより、珪藻駆除処理が短縮するとともに、海苔が障害を起こすまでの時間が長くなることが分かる。
【００５０】
【発明の効果】
本発明は、海苔養殖時に発生する雑藻・病害の駆除予防を行う殺藻殺菌剤であって、プロピオン酸とパラオキシ安息香酸エステルを主成分とすることにより、珪藻、アオノリ等の雑藻類及び赤腐れ菌、壷状菌、付着細菌等の病害菌を短時間で且つ経済的に駆除することができる。
本発明の殺藻殺菌方法では、前記殺藻殺菌剤で、１２０秒以下処理するので、潜り船などへの適用が極めて容易になる。